(57)【特許請求の範囲】
【請求項１】
固定子コアのティースに巻線が施された固定子と、
前記固定子コアと巻線との間に設けられた絶縁体と、
前記固定子コアのティースの付け根部分と先端部分に、前記固定子コアから垂直方向に延出するように、前記絶縁体と一体の部材で設けた側壁と、
前記巻線上に配設されたリード線と巻線の端末との接続部、あるいは電子部品等の部品とを備えたモータにおいて、
前記絶縁体と前記側壁と上蓋とを一体に樹脂成形を行い、前記上蓋及び該上蓋側と対向する側壁上に係合部を形成し、前記上蓋を折り曲げて、この上蓋と前記巻線との間で、前記電子部品を挟持し、前記係合部の係合により、電子部品等を挟持し固定したことを特徴とするモータ。
【請求項２】
前記巻線上に取り付け台を配設し、この取り付け台と前記上蓋との間で、前記接続部を挟持し、前記上蓋及び該上蓋側と対向する側壁に形成した係合部の係合により、接続部を固定したことを特徴とする請求項１記載のモータ。
【発明の詳細な説明】
【０００１】
【発明の属する技術分野】
リード線と巻線の端末とを半田付け等によって接続される固定子を備えたモータに関する。
【０００２】
【従来の技術】
鋼板製のモータ等において、固定子に巻回された巻線の端末は、直接にリード線と半田付け等により接続されており、そして、このリード線を介して、巻線に電力を供給していた。
【０００３】
リード線と巻線とが半田付け等によって接続されている固定子を用いたモータの従来における実施例を図５を用いて説明する。図５は、従来におけるモータの固定子の正面図である。
【０００４】
図５において、固定子コア２１は、筒状に形成されたバックヨーク２２と、このバックヨーク２２の内周部より、軸中心に向かって延出した複数個のティース２３で構成されている。
【０００５】
固定子２４は、固定子コア２１と、この固定子コア２１の任意のティース２３間に亘って巻回された巻線２５とで構成されている。また、固定コア２１と巻線２５との間には、電気的絶縁物で形成された絶縁体（図示しない）が設けられている。
【０００６】
各ティース２３に巻回されたそれぞれの巻線２５の端末は、任意の巻線２５間で接続され、あるいは、リード線２７と接続されている。このリード線２７と巻線２５の端末との接続は、半田付けにより行われている。そして、この接続部２８は、巻線２５あるいは固定子コア２１と電気的に絶縁するために、絶縁チューブ２９によって被われている。また、リード線２７は巻線２５の端末の他に温度リレー３０等の電子部品も接続されている。
【０００７】
そして、接続部２８や温度リレー３０はコイルエンド上に配設され、麻糸３１によって、コイルエンドと共に固定される。
【０００８】
【発明が解決しようとする課題】
従来におけるモータでは、前述したように、麻糸を用いてリード線と巻線の端末との接続部や電子部品をコイルエンドに縛り付けていた。この麻糸を用いる方法は、機械化が難しく手作業となり、そのため多大な時間が必要であった。
【０００９】
【課題を解決するための手段】
そこで、本発明の請求項１において、固定子コアのティースに巻線が施された固定子と、前記固定子コアと巻線との間に設けられた絶縁体と、前記固定子コアのティースの付け根部分と先端部分に、前記固定子コアから垂直方向に延出するように、前記絶縁体と一体の部材で設けた側壁と、前記巻線上に配設されたリード線と巻線の端末との接続部、あるいは電子部品等の部品とを備えたモータにおいて、前記絶縁体と前記側壁と上蓋とを一体に樹脂成形を行い、前記上蓋及び該上蓋側と対向する側壁上に係合部を形成し、前記上蓋を折り曲げて、この上蓋と前記巻線との間で、前記電子部品を挟持し、前記係合部の係合により、電子部品等を挟持し固定したことを特徴とするモータ。
【００１０】
あるいは、請求項２において、前記巻線上に取り付け台を配設し、この取り付け台と前記上蓋との間で、前記接続部を挟持し、前記上蓋及び該上蓋側と対向する側壁に形成した係合部の係合により、接続部を固定したことを特徴とする請求項１記載のモータを提供する。
【００１１】
【作用】
リード線と巻線の端末との接続部を取り付け台に配設した後、上蓋を折り曲げ、上蓋の孔を側壁の突起に嵌合圧入することにより、上蓋と取り付け台とで接続部をサンドイッチ状に挟持して固定する。または、接続部を絶縁チューブで被い、この絶縁チューブで被われた接続部を上蓋とコイルエンドでサンドイッチ状に挟持して固定する。
【００１２】
【発明の実施の形態】
本発明による実施例を図１〜図４を用いて説明する。図１は、本発明における固定子の正面図である。図２は、上蓋を閉じた後、図１の断面Ａ−Ａから見た固定子の部分側断面図である。図３は、本発明における他の実施例を説明した拡大部分側断面図である。図４は、上蓋を固定するための他の構造を説明した拡大部分側断面図である。
【００１３】
図１において、固定子１は、従来と同様に、バックヨーク２とティース３とで形成された固定子コア４と、各ティース３に巻回された巻線５とで構成されている。また、固定子コア４と巻線５との間には、電気的絶縁を行うための絶縁体６が設けられている。
【００１４】
この絶縁体６には、ティース３の付け根部分と先端部分から、固定子コア４の端面と垂直方向に延出した側壁７ａ、７ｂが一体成形されて設けられている。これら側壁７ａ、７ｂによって、ティース３に巻回されている巻線５の垂れ線がティース３外へでないように防止している。
【００１５】
さらに、絶縁体６には、板状の上蓋８が一体成形されて設けられている。この上蓋８は、固定子コア４の一方の端面であって、ティース３の付け根部分から延出している任意の側壁７ａの外周面側から延出して設けられている。また、この上蓋８は、側壁７ａとの付け根部分が、細くくびれており、あるいは、薄肉厚に形成されており、この付け根部分の屈曲が可能となっている。また、上蓋８の先端部分の任意の箇所には、孔８ａが設けられている。
【００１６】
ティース３の先端部分から延出している側壁７ｂの先端部分には、前述した孔８ａと嵌合する突起９が設けられている。
【００１７】
また、上蓋８が設けられた側の固定子コア４の端面であって、巻線５上、あるいはバックヨーク２上の全て、あるいは一部の箇所に電気的絶縁物で構成された取り付け台１０が配設されている。
【００１８】
そして、リード線１１と巻線５の端末とを半田付けによって接続し接続部１２を構成する。このとき、接続部１２が取り付け台１０上に配設されるようにする。また、取り付け台１０上にリード線１１を配設することにより、取り付け台１０内にリード線１１を収納することができる。さらに、取り付け台１０には、隔壁１０ａが取り付け台１０の各所に設けられており、それぞれのリード線１１を整然と収納することができる。
【００１９】
図２において、接続部１２を取り付け台１０上に配設し、上蓋８を付け根部分から折り曲げて、接続部１２を取り付け台１０と上蓋８とでサンドイッチ状に挟持する。そして、上蓋８の孔８ａを突起９に嵌合圧入して上蓋８を取り付け台に係合する。これにより、接続部１２が取り付け台１０と上蓋８との間で固定される。この様に上蓋８を構成することにより、接続部１２を簡単に固定できる。
【００２０】
また、取り付け台１０を用いることにより、接続部１２と、巻線５、固定子コア４との間の電気的絶縁を十分に行うことができる。
【００２１】
また、図３のように、リード線１１と巻線５の端末との接続部１２を絶縁チューブ１３で被って、巻線５と電気的絶縁し、コイルエンドと上蓋８により接続部１２をサンドイッチ状に挟持して、接続部１２を固定することにより取り付け台１０の使用を廃止してもよい。
【００２２】
また、図２の説明の際に述べた上蓋８を側壁７ｂに係合する係合部の他の構造として、図４の様に、上蓋１４の先端部に鍵状のフック１４ａを設け、側壁１５にフック１４ａを取り付けるための孔１５ａを設けて、上蓋１４を側壁１５に係合してもよい。さらに、図示しないが接着、あるいは溶接により係合してもよい。
【００２３】
図１のように、接続部１２以外に、例えば温度リレー１６等の電子部品をコイルエンド上、又はこの近傍に配設し、上蓋１４を側壁１５に係合して温度リレー１６を固定してもよい。
【００２４】
さらに、上蓋１７を板状に形成した別ピースにして、１カ所あるいは複数カ所に孔１７ａを設ける、そして、側壁７ａ、７ｂの先端部分に孔１７ａと嵌合する突起１８を設ける。そして、温度リレー１６をコイルエンド上、またはこの近傍に配設し、コイルエンドと上蓋１７により温度リレー１６をサンドイッチ状に挟持して、温度リレー１６を固定してもよい。
【００２５】
【発明の効果】
本発明によれば、リード線と巻線の端末との接続部、あるいは温度リレー等の部品を簡単に固定子に固定することができる。
【００２６】
【図面の簡単な説明】
【図１】本発明における固定子の正面図。
【図２】上蓋を閉じた後に図１の断面Ａ−Ａから見た固定子の部分側断面図。
【図３】上蓋の固定部の他の実施例を説明した拡大部分側断面図。
【図４】上蓋を固定するための他の構造を説明した拡大部分側断面図。
【図５】従来におけるモータの固定子の正面図。
【符号の説明】
１、２４…固定子
２、２２…バックヨーク
３、２３…ティース
４、２１…固定子コア
５、２５…巻線
６…絶縁体
７ａ、７ｂ、１５…側壁
８、１４、１７…上蓋
９…突起
１０…取り付け台
１１、２７…リード線
１２、２８…接続部
１３、２９…絶縁チューブ
１６、３０…温度リレー
３１…麻糸
【図１】
0003979457.tif 000002
【図２】
0003979457.tif 000003
【図３】
0003979457.tif 000004
【図４】
0003979457.tif 000005
【図５】
0003979457.tif 000006